(57)【要約】【課題】ユーザーが用紙トレイを取り付けるための手間も掛からず、更にユーザーが用紙トレイを破損することもない記録装置を提供すること。【解決手段】基端部が回転支持部を介して外装ケースに回動可能に支持された用紙トレイと、前記用紙トレイを任意の方向へ付勢するための弾性部材とを有しており、用紙トレイ若しくは外装ケースの何れか一方に設けられた係合凹部と、他方に設けられた前記係合凹部と係合するための係合凸部を有する記録装置において、前記用紙トレイは、所定角度位置で位置決め保持された状態において、下向きの外力が働いた位置決めのための係合が解除されると、記録装置の背面部分に突き当たるところまで回動可能で、更に、下向きの外力により位置決めのための係合が解除された後、前記下向きの外力を開放すると、前記用紙トレイは、所定角度位置まで自動で回動し、所定角度位置で外装ケースと係合する。【選択図】図１
2007055738.tif 000002
【特許請求の範囲】
【請求項１】
基端部が回転支持部を介して外装ケースに回動可能に支持された用紙トレイと、前記用紙トレイを任意の方向へ付勢するための弾性部材とを有しており、前記用紙トレイを所定角度位置で位置決め保持するために、用紙トレイ若しくは外装ケースの何れか一方に設けられた係合凹部と、他方に設けられた前記係合凹部と係合するための係合凸部を有する記録装置において、
前記用紙トレイは、所定角度位置で位置決め保持された状態において、下向きの外力が働いた位置決めのための係合が解除されると、記録装置の背面部分に突き当たるところまで回動可能で、更に、下向きの外力により位置決めのための係合が解除された後、前記下向きの外力を開放すると、前記用紙トレイは、所定角度位置まで自動で回動し、所定角度位置で外装ケースと係合することを特徴とする記録装置。
【発明の詳細な説明】
【技術分野】
【０００１】
本発明は、記録装置等に具備されている用紙トレイに関するものである。
【背景技術】
【０００２】
従来技術の用紙トレイは、その基端部が外装ケースの回転支持部を介して回動可能に支持されており、用紙トレイを使用する場合は、所定角度位置に位置決め保持されていた。回転支持部は、用紙トレイ及び外装ケースの何れか一方に設けられた丸穴状の係合凹部と、他方に係合凹部に回動可能に挿入されるように設けられた丸軸状の係合凸部とから構成されている。
【０００３】
上記した用紙トレイにおいて、ユーザーの不注意等により用紙トレイに過大な下向きの外力が掛かり、下方回動限界位置を越えて押し下げられようとすることがある。このような事態が発生すると、回転支持部及び周辺部分に過大な応力が発生し破損してしまう。このように、回転支持部等が破損した場合には、記録装置の運転を中止して、破損した部分の修理や交換等を行わなければならない。これを防止するために、過大な外力により、用紙トレイが下方回動限界位置を越えて押し下げられようとしても、破損しないような用紙トレイがある。
【０００４】
具体的には、特許文献１があり、用紙トレイが下方回動限界位置を越えて押し下げられた場合は、用紙トレイの回転支持部が外装ケースから外れる構造となっている。この場合は、回転支持部が、用紙トレイ側及び外装ケース側の何れか一方に設けられた係合凹部と、他方に係合凹部に回動可能に挿入されるように設けられた係合凸部とから成り、係合凹部を円形凹部と、この円形凹部を一部切欠いて外部と連通させる通し部とから形成している。
【０００５】
更に、係合凸部は、円形凹部と回動可能に係合する円弧状凸部と、通し部を通過可能な幅狭部とから形成し、通し部と幅狭部とを用紙トレイが下方回動限界位置へ到達した場合に整合して円形凹部と円弧状凸部とを係合解除可能に形成している。このような構造により、外力により用紙トレイが下方回動限界位置を越えて押し下げられた場合にも、用紙トレイが外装ケースから外れるために記録装置を破損することがない。
【特許文献１】特開平７−１２５９０３号公報
【発明の開示】
【発明が解決しようとする課題】
【０００６】
しかしながら、上述した従来の技術では以下の問題があった。
【０００７】
即ち、用紙トレイが外力により、下方回動限界位置を越えて押し下げられた場合には、用紙トレイが外装ケースから外れてしまっていた。このような構造では、外力の大きさによって用紙トレイの角度が所定角度位置から下方回動限界位置（トレイが外れるところ）までの範囲で変動してしまう。これでは、用紙積載枚数が異なるだけで、用紙トレイの角度を所定角度位置に保つことができなくなり、記録装置の印字性能を満足することができない。
【０００８】
更に、過大な外力が掛かって用紙トレイが外れた場合は、ユーザーが用紙トレイを取り付け直さなければならず、取り付けに手間が掛かったり、又、取り付けの方法が分からず、無理やり取付けようとして用紙トレイを破損する等の問題があった。これでは、記録装置の運転を中止して、破損した部分の修理や交換等を行わなければならず、使用が著しく制限されるとともに経済的不利益を蒙ることになる。
【０００９】
本発明は上記問題に鑑みてなされたもので、その目的とする処は、ユーザーが用紙トレイを取り付けるための手間も掛からず、更にユーザーが用紙トレイを破損することもない記録装置を提供することにある。
【課題を解決するための手段】
【００１０】
上記目的を達成するため、本発明は、基端部が回転支持部を介して外装ケースに回動可能に支持された用紙トレイと、前記用紙トレイを任意の方向へ付勢するための弾性部材とを有しており、前記用紙トレイを所定角度位置で位置決め保持するために、用紙トレイ若しくは外装ケースの何れか一方に設けられた係合凹部と、他方に設けられた前記係合凹部と係合するための係合凸部を有する記録装置において、前記用紙トレイは、所定角度位置で位置決め保持された状態において、下向きの外力が働いた位置決めのための係合が解除されると、記録装置の背面部分に突き当たるところまで回動可能で、更に、下向きの外力により位置決めのための係合が解除された後、前記下向きの外力を開放すると、前記用紙トレイは、所定角度位置まで自動で回動し、所定角度位置で外装ケースと係合することを特徴とする。
【発明の効果】
【００１１】
本発明によれば、用紙トレイは、過大な下向きの外力が掛かり、下方限界位置を超えて押し下げられた場合には、外装ケースと用紙トレイの係合凹部の係合が解除された後、回転支持部を中心に外装ケースに突き当たるところまで回動可能である。これにより、外装ケース、用紙トレイの回転支持部及び周辺部分に過大な応力が掛からないために記録装置が破損することを防止できる。
【００１２】
又、従来技術では、回転支持部を破損しないようにするために、用紙トレイが下方回動限界位置を越えたところで、外装ケースから外れるようにしている。これでは、ユーザーが用紙トレイを取付け直さなければならず、取り付けに手間が掛かったり、又、取り付けの方法が分からず、無理やり取り付けようとして用紙トレイを破損する等の問題があった。
【００１３】
しかし、本発明においては、所定角度位置で過大な外力が掛かった用紙トレイは、外装ケースとの係合が解除され、前記外力が開放されると、自動的に前記所定角度位置に戻すようにした。これにより、ユーザーが用紙トレイを取り付けるための手間も掛からず、更にユーザーが用紙トレイを破損することもなくなる。
【発明を実施するための最良の形態】
【００１４】
以下に本発明の実施の形態を添付図面に基づいて説明する。
【００１５】
図１は本実施の形態に係る用紙トレイが閉じた状態を示す外観斜視図であり、図２は本実施の形態に係る用紙トレイが所定角度開いた状態を示す外観斜視図である。
【００１６】
外装ケース１内部には、記録装置本体（不図視）、自動給紙装置６等が具備されている。又、外装ケース１の自動給紙装置６上部には開口部１５が設けられており、この開口部１５を塞ぐように蓋の機能を備えた用紙トレイ２が装着されている。更に、用紙トレイ２は、トレイ背面カバー３、トレイ表カバー４で中空体を形成しており、この中空体内部にねじりコイルバネ５が取付けられている。ねじりコイルバネ５は、用紙トレイ２を矢印９方向へ付勢するためのものであり、これに関しては以下で図３を参照して説明する。
【００１７】
図３は用紙トレイ２が所定角度開いた状態にある時の用紙トレイ２の内部構造を示す斜視図である。
【００１８】
用紙トレイ２は、その基端部が、外装ケース１の回転支持部を介して回動可能に支持されており、回転支持部は、外装ケース１に丸穴状の係合凹部（不図視）と、用紙トレイ２に係合凹部（不図視）に回動可能に挿入されるように設けられた丸軸状の係合凸部（不図視）とから構成されている。ここで、上記、係合凹部及び係合凸部は、外装ケース１、用紙トレイ２のどちらに形成されていても構わない。
【００１９】
又、本発明の記録装置は、用紙トレイ２が所定角度開いた状態で位置決めするために、外装ケース１に設けた係合凸部７と用紙トレイ２に設けた係合凹部８が係合する構造となっている。更に、用紙トレイ２が本体に収納された状態（図１）においては、外装ケース１に設けた係合凸部７と用紙トレイ２に設けた係合凹部１７が係合する構造となっている。
【００２０】
又、外装ケース１に設けた係合凸部７は、弾性変形可能な形状をしており、用紙トレイ２の回動動作に連動して、用紙トレイの係合凹部８，１７と係合可能なようになっている。更に、用紙トレイ２には、ねじりコイルバネ５が装着されており、ねじりコイルバネ５は、トレイ背面カバー３の丸軸凸部２０とねじりコイルバネ５の丸穴１０で位置決めされ、更に、一方のバネ足１１が用紙背面カバー３の爪１３へ引っ掛けられ、又、もう一方のバネ足１２が、外装ケース１の係合穴１４へ引っ掛けられている。これにより、用紙トレイ２は、矢印９方向へ常時付勢されている。
【００２１】
次に、作用について説明する。
【００２２】
用紙トレイ２を使用しない場合は、図１に示すように、用紙トレイ２は、外装ケース１の開口部１５を蓋している。これにより、記録装置内部にゴミ、異物等が入り込むことを防止している。更に、用紙トレイ２は、ねじりコイルバネ５で矢印９方向へ付勢され、且つ、外装ケースに設けている係合凸部７と用紙トレイ２に設けた係合凹部１７とが係合している。こうすることで、例えば、記録装置を移動する場合等に、記録装置を逆さまにしても用紙トレイ２が外装ケース１から飛び出すことがなくなり、外観品位を向上することができる。
【００２３】
又、用紙トレイ２を使用する場合は、用紙トレイ２は矢印１６方向へ回動した後、外装ケース１に設けた係合凸部７と用紙トレイ２に設けた係合凹部８とを係合させ、更に、ねじりコイルバネ５のバネ力で付勢することにより、所定角度位置で保持されている。
【００２４】
ここで、ユーザーが用紙をセットする場合等に不注意で用紙トレイ２に過大な下向きの外力を欠けてしまい、下方回動限界位置１９を越えて押し下げられようとすることがある。このような事態が発生すると、用紙トレイ２が下方回動限界位置１９へ達した時点で、外装ケース１に設けてある弾性を有する係合凸部７が弾性変形し、用紙トレイ２に設けてある係合凹部８との係合が解除される。更に、この状態からユーザーが用紙トレイ２を下向きへ押し下げると、図４の状態となる。
【００２５】
図４は本実施の形態の用紙トレイ２が開き切った状態を示す背面斜視図である。この状態において、用紙トレイ２は外装ケース１の外装ケース背面１８と突き当たったところで保持される。このとき、用紙トレイ２のトレイ背面カバー３と外装ケース１の外装ケース背面１８とが突き当たっているため、ユーザーは、これ以上用紙トレイ２を押し下げることができない。
【００２６】
又、外装ケース１、用紙トレイ２の回転支持部及びその周辺部分に過大な応力が掛からないので、記録装置が破損することを防止できる。更に、図４の状態まで押し下げられた用紙トレイ２から外力を取り除くと、用紙トレイ２は、ねじりコイルバネ５の弾性力により、矢印９方向へ回動し、所定角度位置で、外装ケース１に設けた係合凸部７と用紙トレイ２に設けた係合凹部8 が係合したところで位置決め保持される。
【００２７】
更に、本実施の形態においては、用紙トレイ２が所定角度位置へ戻り易くするために、用紙トレイ２の端部にＣ面が付加されており、外装ケース１に設けた係合凸部７を乗り越え易くしている。
【００２８】
又、用紙トレイ２がバネ力により戻ってきたときに、所定角度位置で確実に位置決めできるように、用紙トレイ２の係合凹部８は、係合凸部７に引っ掛かり易いようにエッジ等の形状をしている。
【図面の簡単な説明】
【００２９】
【図１】本発明の実施の形態に係る用紙トレイが閉じた状態を示す外観斜視図である。
【図２】本発明の実施の形態に係る用紙トレイが所定角度位置開いた状態を示す外観斜視図である。
【図３】本発明の実施の形態に係る用紙トレイが所定角度位置開いた状態にある時の用紙トレイの内部構造を示す斜視図である。
【図４】本発明の実施の形態の用紙トレイが開ききった状態を示す背面斜視図である。
【符号の説明】
【００３０】
１    外装ケース
２    用紙トレイ
３    トレイ背面カバー
４    トレイ表カバー
５    ねじりコイルバネ
６    自動給紙装置
７    係合凸部
８    係合凹部
９    矢印
１０  丸穴部
１１，１２  バネ足
１３  爪
１４  係合穴
１５  開口部
１６  矢印
１７  係合凹部
１８  外装ケース背面
１９  下方限界位置
２０  丸軸凸部
【図１】
2007055738.tif 000003
【図２】
2007055738.tif 000004
【図３】
2007055738.tif 000005
【図４】
2007055738.tif 000006